(57)【要約】【課題】  信頼性の高い情報検出装置及び情報検出方法を提案する。【解決手段】  情報検出装置に、時定数を変更自在に構成され、通信信号の高周波数成分を抽出するハイパスフィルタ部と、通信信号の高周波成分のうちの信号レベルが予め定められたスケルチ検出用の閾値を超える部位を検出するスケルチ検出部と、スケルチ検出部の検出出力に基づいて、通信信号に重畳された情報を検出する情報検出部と、通信信号の直流成分のレベル変動を検出する直流変動検出部と、直流変動検出部により通信信号の直流成分のレベル変動が検出されたときに、ハイパスフィルタ部の時定数を一定期間下げるようにハイパスフィルタ部を制御する制御部と、制御部がハイパスフィルタ部の時定数を下げている間、スケルチ検出部がスケルチ検出用の閾値を超える部位を検出していないように、スケルチ検出部の検出出力をマスクするマスク部とを設けるようにした。【選択図】図４
2011010244.tif 000002
【特許請求の範囲】
【請求項１】
バースト信号が伝送されるバースト期間と、無信号期間であるスペース期間とが情報の内容に応じたパターンで繰り返される通信信号から前記情報を検出する情報検出装置において、
時定数を変更自在に構成され、前記通信信号の高周波数成分を抽出するハイパスフィルタ部と、
前記通信信号の高周波成分のうちの信号レベルが予め定められたスケルチ検出用の閾値を超える部位を検出するスケルチ検出部と、
前記スケルチ検出部の検出出力に基づいて、前記通信信号に重畳された前記情報を検出する情報検出部と、
前記通信信号の直流成分のレベル変動を検出する直流変動検出部と、
前記直流変動検出部により前記通信信号の直流成分のレベル変動が検出されたときに、前記ハイパスフィルタ部の時定数を下げるように前記ハイパスフィルタ部を制御する制御部と、
前記制御部が前記ハイパスフィルタ部の時定数を下げている間、前記スケルチ検出部が前記スケルチ検出用の閾値を超える部位を検出していないように、当該スケルチ検出部の検出出力をマスクするマスク部と
を備えることを特徴とする情報検出装置。
【請求項２】
前記制御部は、前記直流変動検出部により前記通信信号の直流成分のレベル変動が検出されたときに、前記ハイパスフィルタ部の時定数を一定期間下げるように前記ハイパスフィルタ部を制御する
ことを特徴とする請求項１に記載の情報検出装置。
【請求項３】
前記ハイパスフィルタ部は、抵抗とキャパシタとから構成され、
前記制御部は、前記抵抗の抵抗値及び又は前記キャパシタの静電容量を下げることによって、前記ハイパスフィルタ部の時定数を下げる
ことを特徴とする請求項１に記載の情報検出装置。
【請求項４】
前記通信信号は、正相信号と逆相信号とからなる差動信号であり、
前記直流変動検出部は、前記差動信号の前記正相信号と前記逆相信号とを加算し、加算した信号の値が所定の範囲外の値となった場合に、前記ハイパスフィルタ部の時定数を下げる
ことを特徴とする請求項１に記載の情報検出装置。
【請求項５】
前記情報検出部は、シリアルＡＴＡ規格により定められたアウトオブバンド信号を検出する
ことを特徴とする請求項１に記載の情報検出装置。
【請求項６】
時定数を変更自在に構成され、通信信号の高周波数成分を抽出するハイパスフィルタ部と、前記通信信号の高周波成分のうちの信号レベルが予め定められたスケルチ検出用の閾値を超える部位を検出するスケルチ検出部と、前記スケルチ検出部の検出出力に基づいて、前記通信信号に重畳された前記情報を検出する情報検出部とを有し、バースト信号が伝送されるバースト期間と、無信号期間であるスペース期間とが情報の内容に応じたパターンで繰り返される前記通信信号から前記情報を検出する情報検出装置の情報検出方法において、
前記通信信号の直流成分のレベル変動を検出する第１のステップと、
前記通信信号の直流成分のレベル変動が検出されたときに、前記ハイパスフィルタ部の時定数を下げるように前記ハイパスフィルタ部を制御する第２のステップと、
前記ハイパスフィルタ部の時定数を下げている間、前記スケルチ検出部が前記スケルチ検出用の閾値を超える部位を検出していないように、当該スケルチ検出部の検出出力をマスクする第３のステップと
を備えることを特徴とする情報検出方法。
【発明の詳細な説明】
【技術分野】
【０００１】
本発明は、情報検出装置及び方法に関し、例えば、シリアルＡＴＡ（Advanced Technology Attachment）規格に準拠した受信装置に適用して好適なものである。
【背景技術】
【０００２】
従来、ホストコンピュータ（以下、ホストと呼ぶ）と光ディスク装置、ハードディスク装置等のストレージデバイス（以下、デバイスと呼ぶ）とを接続する方式として、高速シリアル転送プロトコル規格であるシリアルＡＴＡが策定されている。
【０００３】
シリアルＡＴＡ規格では、データ転送を行う前に、ＯＯＢ（Out of Band）シーケンスと呼ばれるネゴシエーションが行われる。このＯＯＢシーケンスは、図８に示す以下の手順により行われる。
【０００４】
すなわち、まず、ホストが、パワーオン後にデバイスに対してＣＯＭＲＥＳＥＴ信号を送信する。そしてデバイスは、そのＣＯＭＲＥＳＥＴ信号を受信すると、デバイスに対してＣＯＭＩＮＩＴ信号を送信する。次に、ホストは、そのＣＯＭＩＮＩＴ信号を受信すると、デバイスに、ＣＯＭＷＡＫＥ信号を送信し、デバイスは、そのＣＯＭＷＡＫＥ信号を受信すると、ホストにＣＯＭＷＡＫＥ信号を送信する。
【０００５】
以上のように、かかるネゴシエーションは、ホスト又はデバイスが送信した各信号を他方が検出するという動作を繰り返すことにより行われる。このネゴシエーションが正常に行われたとき、データ転送が開始される。なお、これらのＣＯＭＲＥＳＥＴ信号、ＣＯＭＷＡＫＥ信号、及びＣＯＭＩＮＩＴ信号は、総称して、ＯＯＢ信号と呼ばれる。
【０００６】
これらのＯＯＢ信号は、シリアルＡＴＡ規格で定められたバースト信号が伝送される一定の長さの期間（バースト期間）と無信号期間（スペース期間）とを繰り返す信号であり、バースト期間及びスペース期間の長さ、並びにそれらの回数が規格により定められている。
【０００７】
具体的に、ＣＯＭＲＥＳＥＴ信号及びＣＯＭＩＮＩＴ信号のバースト期間及びスペース期間は、それぞれ約１０６．７[ｎｓ]、及び約３２０[ｎｓ]であり、そのバースト期間の数は、６回であり、ＣＯＭＷＡＫＥ信号のバースト期間及びスペース期間は、それぞれ約１０６．７[ｎｓ]であり、そのバースト期間の数は、６回である。一般的に、シリアルＡＴＡ規格に準拠した受信装置では、バースト期間及びスペース期間をそれぞれ連続して３回以上検出すると、ＯＯＢ信号を検出したと認識する。
【０００８】
なお以上のようなシリアルＡＴＡ通信に関連して、下記特許文献１には、スケルチ検出回路を用いてＯＯＢ信号の誤検出を防止する方法が開示されている。
【先行技術文献】
【特許文献】
【０００９】
【特許文献１】特開２００６−２０３３３８号公報
【発明の概要】
【発明が解決しようとする課題】
【００１０】
ところで、シリアルＡＴＡ規格に準拠した通信を行う通信システム（以下、これをシリアルＡＴＡ通信システムと呼ぶ）では、送信装置から受信装置に差動伝送される通信信号の直流成分にレベル変動が生じた場合に、受信装置側においてＯＯＢ信号を誤検出したり、ＯＯＢ信号を正確に検出することができなくなるなど、信頼性の面で未だ不十分な問題があった。
【００１１】
本発明は以上の点を考慮してなされたもので、信頼性の高い情報検出装置及び方法を提案しようとするものである。
【課題を解決するための手段】
【００１２】
かかる課題を解決するため本発明は、情報検出装置において、バースト信号が伝送されるバースト期間と、無信号期間であるスペース期間とが情報の内容に応じたパターンで繰り返される通信信号から前記情報を検出する情報検出装置であって、時定数を変更自在に構成され、前記通信信号の高周波数成分を抽出するハイパスフィルタ部と、前記通信信号の高周波成分のうちの信号レベルが予め定められたスケルチ検出用の閾値を超える部位を検出するスケルチ検出部と、前記スケルチ検出部の検出出力に基づいて、前記通信信号に重畳された前記情報を検出する情報検出部と、前記通信信号の直流成分のレベル変動を検出する直流変動検出部と、前記直流変動検出部により前記通信信号の直流成分のレベル変動が検出されたときに、前記ハイパスフィルタ部の時定数を下げるように前記ハイパスフィルタ部を制御する制御部と、前記制御部が前記ハイパスフィルタ部の時定数を下げている間、前記スケルチ検出部が前記スケルチ検出用の閾値を超える部位を検出していないように、当該スケルチ検出部の検出出力をマスクするマスク部とを備えることを特徴とする。
【００１３】
また本発明においては、時定数を変更自在に構成され、通信信号の高周波数成分を抽出するハイパスフィルタ部と、前記通信信号の高周波成分のうちの信号レベルが予め定められたスケルチ検出用の閾値を超える部位を検出するスケルチ検出部と、前記スケルチ検出部の検出出力に基づいて、前記通信信号に重畳された前記情報を検出する情報検出部とを有し、バースト信号が伝送されるバースト期間と、無信号期間であるスペース期間とが情報の内容に応じたパターンで繰り返される前記通信信号から前記情報を検出する情報検出装置の情報検出方法において、前記通信信号の直流成分のレベル変動を検出する第１のステップと、前記通信信号の直流成分のレベル変動が検出されたときに、前記ハイパスフィルタ部の時定数を下げるように前記ハイパスフィルタ部を制御する第２のステップと、前記ハイパスフィルタ部の時定数を下げている間、前記スケルチ検出部が前記スケルチ検出用の閾値を超える部位を検出していないように、当該スケルチ検出部の検出出力をマスクする第３のステップとを備えることを特徴とする。
【発明の効果】
【００１４】
本発明によれば、信頼性の高い情報検出装置及び方法を実現できる。
【発明を実施するための形態】
【００１５】
以下、図面について本発明の一実施の形態を詳述する。
【００１６】
（１）第１の実施の形態
（１−１）従来のシリアルＡＴＡ通信システムの構成例
図１は、従来のシリアルＡＴＡ通信システムの構成例を示す。このシリアルＡＴＡ通信システム１は、シリアルＡＴＡ規格に準拠した送信装置２及び受信装置３を備え、これら送信装置２及び受信装置３がシリアルＡＴＡケーブル４を介して接続されて構成されている。
【００１７】
送信装置２は、出力アンプ１０と、第１及び第２のＡＣ結合コンデンサＣ１，Ｃ２とを備える。そして送信装置２は、出力アンプ１０から差動出力される通信信号の正相側（以下、これを正相側通信信号と呼ぶ）を、第１のＡＣ結合コンデンサＣ１及び第１の出力端子１１Ａを介してシリアルＡＴＡケーブル４に送出すると共に、出力アンプ１０の反転出力端子から出力される通信信号の逆相側（以下、これを逆相側通信信号と呼ぶ）を、第２のＡＣ結合コンデンサＣ２及び第２の出力端子１１Ｂを介してシリアルＡＴＡケーブル４に送出する。
【００１８】
受信装置３は、第１及び第２の入力端子２０Ａ，２０Ｂと、ハイパスフィルタ部２１、バイアス電源２２、スケルチ検出部２３、ＯＯＢ検出部２４、シリアルＡＴＡインタフェースコントロール部２５及びデータ抽出部２６とを備えて構成される。
【００１９】
ハイパスフィルタ部２１は、第１の入力端子２０Ａに直列接続された第３のコンデンサＣ３及び第１の終端抵抗Ｒ１から構成される第１のハイパスフィルタ回路３０Ａと、第２の入力端子２０Ｂに直列接続された第４のコンデンサＣ４及び第２の終端抵抗Ｒ２から構成される第２のハイパスフィルタ回路３０Ｂとを備える。そして第１の入力端子２０Ａには、送信装置２からシリアルＡＴＡケーブル４を介して差動伝送される正相側通信信号及び逆相通信信号のうちの正相側通信信号が与えられ、第２の入力端子２０Ｂには、逆相側通信信号が与えられる。また第１及び第２の終端抵抗Ｒ１，Ｒ２は、負極側が接地されたバイアス電源２２の正極側に共通接続されている。
【００２０】
かくしてハイパスフィルタ部２１は、正相側通信信号の高周波成分を抽出し、抽出した高周波成分にバイアス電源２２の出力電圧に応じたバイアス電圧を重畳して、これを正相側高周波成分信号として第３のＡＣ結合コンデンサＣ３及び第１の終端抵抗Ｒ１の接続中点から出力する。またハイパスフィルタ部２１は、逆相側通信信号の高周波成分を抽出し、抽出した高周波成分に上記バイアス電圧を重畳して、これを逆相側高周波成分信号として第４のＡＣ結合コンデンサＣ４及び第２の終端抵抗Ｒ２の接続中点を介して出力する。
【００２１】
スケルチ検出回路２３は、ハイパスフィルタ部２１から出力される正相側高周波成分信号及び逆相側高周波成分信号を入力し、これら正相側高周波成分信号及び逆相側高周波成分信号の信号レベルの差分の絶対値が予め設定された所定の閾値（スケルチ検出回路２３が正常にスケルチ検出を行える入力信号の閾値であり、以下、これをスケルチ検出回路許容入力信号閾値と呼ぶ）以上であるか否かを判定する。そしてスケルチ検出回路２３は、かかる差分の絶対値がスケルチ検出回路許容入力信号閾値以上となる期間は論理レベル「１」に立ち上がり、かかる差分の絶対値がスケルチ検出回路許容入力信号閾値よりも小さい期間は論理レベル「０」に立ち下がるスケルチ検出信号を生成し、これをＯＯＢ検出回路２４に送出する。
【００２２】
ＯＯＢ検出回路２４は、スケルチ検出信号を監視し、そのスケルチ検出信号に含まれる論理レベルが「１」の各部分（つまりＯＯＢ信号の各バースト期間）でそれぞれ論理レベル「１」に立ち上がる各パルスのパルス幅（バースト期間に相当）、連続する個数（バースト期間の回数に相当）及びパルス間隔（スペース期間に相当）をそれぞれ測定する。そしてＯＯＢ検出回路２４は、この測定により得られた各パルスのパルス幅及びパルス間隔を、シリアルＡＴＡ規格において規定されたＣＯＭＲＥＳＥＴ信号、ＣＯＭＷＡＫＥ信号及びＣＯＭＩＮＩＴ信号のバースト期間及びスペース期間とそれぞれ比較し、かかるパルス幅及びパルス間隔がＣＯＭＲＥＳＥＴ信号、ＣＯＭＷＡＫＥ信号及びＣＯＭＩＮＩＴ信号のいずれかのバースト期間及びスペース期間と合致する連続する３つ以上のパルスを検出すると、これに応じたＯＯＢ検出信号をシリアルＡＴＡインタフェースコントロール部２５に送信する。
【００２３】
具体的に、ＯＯＢ検出部２４は、パルス幅が約１０６．７[ｎｓ]、間隔が約３２０[ｎｓ]である連続する３つ以上のパルスを検出すると、ＣＯＭＲＥＳＥＴ信号又はＣＯＭＩＮＩＴ信号を受信したと判断し、これに応じたＯＯＢ検出信号をシリアルＡＴＡインタフェースコントロール部２５に送信する。またＯＯＢ検出部２４は、パルス幅が約１０６．７[ｎｓ]、間隔が約１６０．７[ｎｓ]である連続する３つ以上のパルスを検出すると、ＣＯＭＷＡＫＥ信号を受信したと判断し、これに応じたＯＯＢ検出信号をシリアルＡＴＡインタフェースコントロール部２５に送信する。
【００２４】
シリアルＡＴＡインタフェースコントロール部２５は、ＯＯＢ検出回路２４から与えられるＯＯＢ検出信号に基づいて、ＣＯＭＲＥＳＥＴ信号、ＣＯＭＲＥＳＥＴ信号又はＣＯＭＩＮＩＴ信号の入力の有無を判断し、判断結果に基づき必要に応じて、図８について上述したＯＯＢシーケンスに関する所定処理を実行する。
【００２５】
一方、データ抽出部２６は、データ抽出用差動アンプ４０及びデータ抽出ブロック４１から構成される。
【００２６】
データ抽出用差動アンプ４０は、非反転入力端子がハイパスフィルタ部２１の第３のＡＣ結合コンデンサＣ３及び第１の終端抵抗Ｒ１の接続中点と接続され、反転入力端子がハイパスフィルタ部２１の第４のＡＣ結合コンデンサＣ４及び第２の終端抵抗Ｒ２の接続中点と接続されている。そしてデータ抽出用差動アンプ４０は、ハイパスフィルタ部２１から非反転入力端子に与えられる正相側高周波成分信号と、当該ハイパスフィルタ部２１から反転入力端子に与えられる逆相側高周波成分信号と信号レベルの差分に応じた差分信号をデータ抽出ブロック４１に送出する。
【００２７】
またデータ抽出ブロック４１は、シリアルＡＴＡインタフェースコントロール部２５の制御のもとに、受信装置３が送信装置２との間のＯＯＢシーケンスが終了した後に、データ抽出用差動アンプ４０から与えられる差分信号に含まれる、送信装置２から送信されてきたデータを抽出する。
【００２８】
以上のような構成を有する従来のシリアルＡＴＡ通信システムでは、システム全体で見ると、送信装置２の第１のＡＣ結合コンデンサＣ１と、受信装置３の第３のＡＣ結合コンデンサＣ３及び第１の終端抵抗Ｒ１とでハイパスフィルタが構成され、送信装置２の第２のＡＣ結合コンデンサＣ２と、受信装置３の第４のＡＣ結合コンデンサＣ４及び第２の終端抵抗Ｒ２とでハイパスフィルタが構成される。
【００２９】
このため、図２（Ａ）に示すように、例えば送信装置２側がシャットダウンされるなどして正相側通信信号Ｓ１及び逆相側通信信号Ｓ２の直流成分に変動が生じた場合（時点ｔ１）、受信装置３のハイパスフィルタ部２１から出力される正相側高周波成分信号及び逆相側高周波信号に、例えば図２（Ｂ）に示すような鋸歯状のレベル変動が発生する。また、これに伴い正相側高周波成分信号及び逆相側高周波信号の差分でなる差分信号Ｓ３にも、同様のレベル変動が発生する。
【００３０】
そして、この差分信号Ｓ３に発生したかかるレベル変動が、スケルチ検出回路２３が正常にスケルチ検出を行えるスケルチ検出回路許容入力信号閾値ＴＨ１を超えた場合、図２（Ｃ）に示すように、スケルチ検出回路２３から出力されるスケルチ検出信号Ｓ４に、かかる差分信号Ｓ３の信号レベルがスケルチ検出回路許容入力信号閾値ＴＨ１を超えた期間立ち上がるパルスＰ１が発生し、条件によってはＯＯＢ検出回路２４がこのパルスＰ１をＯＯＢ信号と誤検出するおそれがあった。
【００３１】
また図３（Ａ）に示すように、正相側通信信号Ｓ１及び逆相側通信信号Ｓ２の直流成分にレベル変動が生じた（時点ｔ２）直後に送信装置２から受信装置３にＯＯＢ信号Ｓ５が送信された場合、図３（Ｂ）に示すように、かかる差分信号Ｓ３がスケルチ検出回路許容入力信号閾値ＴＨ１を超えた状態でＯＯＢ信号Ｓ５がスケルチ検出回路２３に入力する場合がある。そしてこの場合には、図３（Ｃ）に示すように、差分信号Ｓ３がスケルチ検出回路許容入力信号閾値ＴＨ１を超えた期間立ち上がるパルスＰ２を含むスケルチ検出信号Ｓ４がＯＯＢ検出回路２４に与えられるため、ＯＯＢ検出回路２４がＯＯＢ信号Ｓ５を検出できない問題があった。
【００３２】
これらの問題を解決するための１つの方法として、例えば、かかる差分信号Ｓ３がスケルチ検出回路許容入力信号閾値ＴＨ１を超える期間がなるべく短くなるようにシステムを構築すると共に、この期間中にスケルチ検出信号Ｓ４に発生するパルスＰ３，Ｐ４を何らかの方法によりマスキングする方法が考えられる。そしてこの方法によれば、図３（Ａ）のように正相側通信信号Ｓ１及び逆相側通信信号Ｓ２の直流成分にレベル変動が生じた直後に送信装置２から受信装置３にＯＯＢ信号Ｓ５が送信された場合においても、ＯＯＢ信号をマスキングすることなく、かかるレベル変動に起因してスケルチ検出信号Ｓ４に発生するパルスのみをマスキングすることができるものと考えられる。
【００３３】
この場合において、図２（Ａ）のような正相側通信信号Ｓ１及び逆相側通信信号Ｓ２の直流成分のレベル変動に起因して受信装置３の第１のハイパスフィルタ回路３０Ａから出力される正相側高周波成分信号に発生するレベル変動の収束時間は、送信装置２の第１のＡＣ結合コンデンサＣ１と、受信装置３の第３のＡＣ結合コンデンサＣ３及び第１の終端抵抗Ｒ１とで構成されるハイパスフィルタの時定数τとして計算することができる。そして、この時定数τは、送信装置２の第１のＡＣ結合コンデンサＣ１の容量をＣＴ１、受信装置３の第３のＡＣ結合コンデンサＣ３の容量をＣＲ１、受信装置３の第１の終端抵抗Ｒ１の抵抗値をＲＲ１として、次式のように求めることができる。
【数１】
2011010244.tif 000003
【００３４】
また、このとき受信装置３の第２のハイパスフィルタ回路３０Ｂから出力される逆相側高周波成分信号に発生するレベル変動の収束時間も、同様に求めることができる。
【００３５】
従って、送信装置２の第１のＡＣ結合コンデンサＣ１の容量と、受信装置３の第３のＡＣ結合コンデンサＣ３の容量との合計値を小さくするか、及び又は、受信装置３の第１の終端抵抗Ｒ１の抵抗値を小さくすることによって、これら第１及び第３のＡＣ結合コンデンサＣ１，Ｃ３と、第１の終端抵抗Ｒ１とで構成されるハイパスフィルタの時定数τを下げることができ、同様の方法により、送信装置２の第２のＡＣ結合コンデンサＣ２と、受信装置３の第４のＡＣ結合コンデンサＣ４及び第２の終端抵抗Ｒ２とで構成されるハイパスフィルタの時定数を下げることができることが分かる。
【００３６】
そして、このような方法により正相側高周波成分信号に発生するレベル変動の収束時間と、逆相側高周波成分信号に発生するレベル変動の収束時間を短時間化することによって、例えば図５（Ｃ）及び図６（Ｃ）に示すように、正相側通信信号及び逆相側通信信号の直流成分のレベル変動に起因して正相側高周波成分信号及び逆相側高周波成分信号の差分である差分信号Ｓ３がスケルチ検出回路許容入力信号閾値ＴＨ１を超える時間を短く抑えることができる。
【００３７】
ただし、かかるハイパスフィルタ部２１における第３及び第４のＡＣ結合コンデンサＣ３，Ｃ４の容量や、第１及び第２の終端抵抗Ｒ１，Ｒ２の抵抗値を下げることは、受信装置３側で受信する正相側通信信号及び逆相側通信信号の信号品質を下げることになるため、初期状態からかかる容量や抵抗値を下げるようにすることは対応として不十分である。
【００３８】
そこで、本実施の形態のシリアルＡＴＡ通信システムでは、受信装置３側において、正相側通信信号及び逆相側通信信号の直流成分のレベルを監視し、かかる直流成分のレベル変動が生じたときにハイパスフィルタ部２１における第１及び第２のハイパスフィルタ回路３０Ａ，３０Ｂの時定数を一時的に下げ、さらにこのときスケルチ検出回路２３から出力されるスケルチ検出信号をマスクする機能が搭載されている。以下、このような機能が搭載された本実施の形態によるシリアルＡＴＡ通信システムについて説明する。
【００３９】
（１−２）本実施の形態によるシリアルＡＴＡ通信システム
図１との対応部分に同一符号を付した図４は、本実施の形態によるシリアルＡＴＡ通信システム５０を示す。このシリアルＡＴＡ通信システム５０は、受信装置５１のハイパスフィルタ部５２の構成が異なる点と、受信装置５１にスイッチ制御部５３が追加されている点とを除いて図１について上述したシリアルＡＴＡ通信システム１と同様に構成されている。
【００４０】
実際上、このシリアルＡＴＡ通信システム５０の場合、受信装置５１のハイパスフィルタ部５２の第１のハイパスフィルタ回路６０Ａには、第１の終端抵抗Ｒ１と並列に接続された第１の時定数低減用抵抗Ｒ３及び第１のスイッチ６１Ａが設けられ、第２のハイパスフィルタ回路６０Ｂには、第２の終端抵抗Ｒ２と並列に接続された第２の時定数低減用抵抗Ｒ４及び第２のスイッチ６１Ｂが設けられている。
【００４１】
そして第１及び第２のスイッチ６１Ａ，６１Ｂは、スイッチ制御部５３から与えられる後述するスイッチ制御信号に基づいて、当該スイッチ制御信号の論理レベルが「０」のときには開状態となり、当該スイッチ制御信号の論理レベルが「１」のときには閉状態となるように構成されている。
【００４２】
またスイッチ制御部５３は、加算アンプ７０、直流成分変動検出回路７１、スイッチ制御回路７２及びマスク用ゲート７３から構成されている。
【００４３】
加算アンプ７０は、一方の入力端子がハイパスフィルタ部５２の第３のＡＣ結合コンデンサＣ３及び第１の終端抵抗Ｒ１の接続中点と接続され、他方の入力端子がハイパスフィルタ部５２の第４のＡＣ結合コンデンサＣ４及び第２の終端抵抗Ｒ２の接続中点と接続されている。そして加算アンプ７０は、ハイパスフィルタ部５３から一方の入力端子に与えられる正相側高周波成分信号と、ハイパスフィルタ部５３から他方の入力端子に与えられる逆相側高周波成分信号とを加算する。これにより正相側通信信号に含まれる情報成分と、逆相側通信信号に含まれる情報成分とが相殺されて、正相側通信信号の直流成分の変動分と、逆相側通信信号の直流成分の変動分とを加算した信号（以下、これを変動加算信号と呼ぶ）が得られる。かくして加算アンプ７０は、このようにして得られた変動加算信号を直流変動検出回路７１に送出する。
【００４４】
直流変動検出回路７１は、供給される変動加算信号に基づいて、正相側通信信号及び逆相側通信信号の各直流成分のレベル変動の有無を検出する。具体的に直流変動検出回路７１は、変動加算信号の信号レベルを、予め定められた閾値（以下、これを変動検出用閾値と呼ぶ）と比較する。そして直流変動検出回路７１は、かかる変動加算信号の信号レベルが変動検出用閾値以上となったときに、これに応じたレベル変動検出信号をスイッチ制御回路７２に送出する。
【００４５】
スイッチ制御回路７２は、通常時には、論理レベル「０」のスイッチ制御信号をハイパスフィルタ部５２の第１及び第２のスイッチ６１Ａ，６１Ｂに送信することにより、これら第１及び第２のスイッチ６１Ａ，６１Ｂを開いた状態に制御する。またスイッチ制御回路７２は、直流変動検出回路７１から与えられるレベル変動検出信号に基づいて、変動加算信号の信号レベルが変動検出用閾値以上となった（正相側通信信号及び逆相側通信信号の直流成分に一定以上のレベル変動が生じた）ことを認識すると、かかるスイッチ制御信号の論理レベルを予め定められた所定時間（以下、これをマスキング時間と呼ぶ）だけ「１」に切り替え、これによりハイパスフィルタ部５２の第１及び第２のスイッチ６１Ａ，６１Ｂをかかるマスキング時間だけ閉じた状態に遷移させる。
【００４６】
マスク用ゲート回路７３は、非反転入力端子及び反転入力端子を有するＡＮＤゲート回路から構成され、スケルチ検出回路２３から出力されるスケルチ検出信号を非反転入力端子に入力し、スイッチ制御回路７２から出力されるスイッチ制御信号を反転入力端子に入力する。そしてマスク用ゲート回路７３は、これらスケルチ検出信号と、スイッチ制御信号を反転させた信号との論理和をマスク用ゲート信号としてＯＯＢ検出回路２４に送出する。
【００４７】
従って、通常時には、論理レベル「０」のスイッチ制御信号がスイッチ制御回路７２からマスク用ゲート回路７３の反転入力端子に与えられるため、マスク用ゲート回路７３からはスケルチ検出信号と同じ論理レベルのマスク用ゲート信号が出力され、これがＯＯＢ検出回路２４に与えられる。また正相側通信信号及び逆相側通信信号の直流成分にレベル変動が生じたことをスイッチ制御回路７２が認識したときには、スイッチ制御信号の論理レベルが上述のマスキング時間だけ「１」に切り替えられるため、この間、かかるレベル変動に起因するパルス（図２（Ｃ）のパルスＰ１や図３（Ｃ）のパルスＰ２）がスケルチ検出信号に発生した場合においてもこのパルスがマスキングされて、マスク用ゲート回路７３からは、論理レベル「０」のマスク用ゲート信号がＯＯＢ検出回路２４に与えられる。
【００４８】
以上の構成において、本シリアルＡＴＡ通信システム５０において、図５（Ａ）に示すように、送信装置２の出力アンプ１０から出力される正相側通信信号Ｓ１及び逆相側通信信号Ｓ２の直流成分にレベル変動が生じた場合（時点ｔ３）、図５（Ｂ）に示すように、このレベル変動が受信装置５１のスイッチ制御部５３の直流変動検出部７１において変動加算信号Ｓ１０に基づいて検出され、これに応じた変動検出信号がスイッチ制御回路７２に与えられる。そしてスイッチ制御回路７２は、この変動検出信号に基づいて、図５（Ｃ）に示すように、スイッチ制御信号Ｓ１１の論理レベルをマスキング時間Ｔ１分だけ「０」から「１」に切り替える。
【００４９】
このときスイッチ制御信号Ｓ１１の論理レベルの切り替えに応じてハイパスフィルタ部５２の第１及び第２のスイッチ６１Ａ，６１Ｂが閉状態となる。そして、第１及び第２のスイッチ６１Ａ，６１Ｂが閉状態となると、第１の終端抵抗Ｒ１に対して第１の時定数低減用抵抗Ｒ３が並列に接続され、第２の終端抵抗Ｒ２に対して第２の時定数低減用抵抗Ｒ４が並列に接続されることになる。この結果、送信装置２の第１のＡＣ結合コンデンサＣ１、受信装置５１の第３のＡＣ結合コンデンサＣ３及び第１の終端抵抗Ｒ１により構成されるハイパスフィルタ全体としての抵抗値と、送信装置２の第２のＡＣ結合コンデンサＣ２、受信装置５１の第４のＡＣ結合コンデンサＣ４及び第２の終端抵抗Ｒ２により構成されるハイパスフィルタの抵抗値とがそれぞれ元の抵抗値よりも小さくなって、これら２つのハイパスフィルタの時定数が下がる。これにより、図５（Ｄ）に示すように、正相側通信信号Ｓ１及び逆相側通信信号Ｓ２の直流成分のレベル変動に起因して正相側高周波成分信号及び逆相側高周波成分信号の差分である差分信号Ｓ３がスケルチ検出回路許容入力信号閾値ＴＨ１を超える時間が短時間化する。
【００５０】
この場合において、図５（Ｄ）に示すように、かかる差分信号Ｓ３がスケルチ検出回路許容入力信号閾値ＴＨ１を超えた期間立ち上がるパルスＰ３がスケルチ検出信号Ｓ１４に発生するが、図５（Ｅ）に示すように、このときマスク用ゲート回路７３から出力されるマスク用ゲート信号Ｓ１３の論理レベルは上述のように常に「０」となるため、ＯＯＢ検出回路２４にかかるパルスＰ３が入力されることも、このパルスＰ３に基づいてＯＯＢ検出回路２４がＯＯＢ信号を誤検出することもない。
【００５１】
また、例えば図６（Ａ）に示すように、正相側通信信号Ｓ１及び逆相側通信信号Ｓ２の直流成分に変動が生じた（時点ｔ４）直後に送信装置２から受信装置５１にＯＯＢ信号Ｓ１２が送信された場合においても、差分信号Ｓ３がスケルチ検出回路許容入力信号閾値ＴＨ１を超える時間が短時間化されているため、図６（Ｂ）〜（Ｆ）に示すように、ＯＯＢ信号Ｓ１２をマスキングすることなく、スケルチ検出信号Ｓ４に発生したパルスＰ４のみをマスキングしたマスク用ゲート信号Ｓ１３をＯＯＢ検出回路２４に与えることができる。
【００５２】
以上のように本実施の形態によれば、シリアルＡＴＡ通信システム５０の受信装置５１側において、正相側通信信号及び逆相側通信信号の直流成分のレベル変動を監視し、当該レベル変動が生じたときには、ハイパスフィルタ部５２における第３及び第４の終端抵抗Ｒ３，Ｒ４に対してそれぞれ第１又は第２の時定数低減用抵抗Ｒ３，Ｒ４を並列接続すると共に、これと併せてスケルチ検出回路２３から出力されるスケルチ検出信号をマスキングするようにしたことにより、かかる正相側通信信号及び逆相側通信信号の直流成分のレベル変動に起因してＯＯＢ検出回路２４がＯＯＢ信号を誤検出することを防止することができ、かくして信頼性の高いシリアルＡＴＡ通信システムを構築することができる。
【００５３】
（２）第２の実施の形態
図４との対応部分に同一符号を付して示す図７は、図４の受信装置５１に代えてリアルＡＴＡ通信システム５０に適用される第２の実施の形態による受信装置８０を示す。この受信装置８０は、ハイパスフィルタ部８１の第１及び第２のハイパスフィルタ回路８２Ａ，８２Ｂの構成が異なる点を除いて第１の実施の形態の受信装置５１と同様に構成されている。
【００５４】
すなわち、本実施の形態による受信装置８０の場合、かかる第１のハイパスフィルタ回路８２Ａは、第１の入力端子２０Ａに直接接続された第３のＡＣ結合コンデンサＣ３、第１の時定数低減用コンデンサＣ１０及び第１の終端抵抗Ｒ１と、第１の時定数低減用コンデンサＣ５と並列に接続された第１のスイッチ８３Ａとから構成され、第２のハイパスフィルタ回路８２Ｂは、第２の入力端子２０Ｂに直接接続された第４のＡＣ結合コンデンサＣ４、第２の時定数低減用コンデンサＣ１１及び第１の終端抵抗Ｒ２と、第２の時定数低減用コンデンサＣ１１と並列に接続された第２のスイッチ８３Ｂとから構成されている。
【００５５】
そして第１及び第２のスイッチ８３Ａ，８３Ｂは、スイッチ制御部５３のスイッチ制御回路７２から与えられるスイッチ制御信号に基づいて、当該スイッチ制御信号の信号レベルが論理「０」のときには閉状態となり、当該スイッチ制御信号の信号レベルが論理「１」のときには開状態となるように構成されている。
【００５６】
これによりこの受信装置８０においては、スイッチ制御回路７２から出力されるスイッチ制御信号に基づいて、通常時には、第１及び第２のハイパスフィルタ回路８２Ａ，８２Ｂの第１及び第２のスイッチ８３Ａ，８３Ｂが閉じ、正相側通信信号及び逆相側通信信号の直流成分にレベル変動が発生したときには、かかる第１及び第２のスイッチ８３Ａ，８３Ｂが開くようになされている。
【００５７】
以上の構成において、通常時には、第１及び第２のスイッチ８３Ａ，８３Ｂが閉じているため、送信装置２の第１のＡＣ結合コンデンサＣ１、受信装置５１の第３のＡＣ結合コンデンサＣ３及び第１の終端抵抗Ｒ１により構成されるハイパスフィルタのコンデンサ容量は、かかる第１及び第３のＡＣ結合コンデンサＣ１，Ｃ３の各容量に依存し、送信装置２の第２のＡＣ結合コンデンサＣ２、受信装置５１の第４のＡＣ結合コンデンサＣ４及び第１の終端抵抗Ｒ２により構成されるハイパスフィルタのコンデンサ容量は、かかる第２及び第４のＡＣ結合コンデンサＣ２，Ｃ４の各容量に依存する。
【００５８】
これに対して、正相側通信信号及び逆相側通信信号の直流成分にレベル変動が発生したときには、第３のコンデンサＣ３に対して第１の時定数低減用コンデンサＣ１０が直列に接続され、第４のコンデンサＣ４に対して第２の時定数低減用コンデンサＣ１１が直列に接続されることになり、送信装置２の第１のＡＣ結合コンデンサＣ１、受信装置５１の第３のＡＣ結合コンデンサＣ３及び第１の終端抵抗Ｒ１等により構成されるハイパスフィルタのコンデンサ容量と、送信装置２の第２のＡＣ結合コンデンサＣ２、受信装置５１の第４のＡＣ結合コンデンサＣ４及び第１の終端抵抗Ｒ２等により構成されるハイパスフィルタのコンデンサ容量とのいずれもが元のコンデンサ容量よりも小さくなる。
【００５９】
この結果、これら２つのハイパスフィルタの時定数が小さくなるため、正相側通信信号及び逆相側通信信号の直流成分に生じたレベル変動に起因して正相側高周波成分信号及び逆相側高周波成分信号の差分である差分信号がスケルチ検出回路許容入力信号閾値を超える時間を短く抑えることができる。
【００６０】
またこのとき、マスク用ゲート回路７３の反転入力端子に入力するスイッチ制御信号の論理レベルも上述のマスキング時間だけ「０」から「１」に切り替わるため、このマスキング時間内にかかる正相側高周波成分信号及び逆相側高周波成分信号の差分である差分信号がスケルチ検出回路許容入力信号閾値ＴＨ１（図５及び図６）を超えたことに起因するパルスがスケルチ検出回路２３から出力されがスケルチ検出信号に生じたとしても、上述のようにマスク用ゲート回路７３から出力されるマスク用ゲート信号の論理レベルは常に「０」となり、かかるパルスがＯＯＢ検出回路２４に入力されることも、またＯＯＢ検出回路２４がマスク用ゲート信号に基づいてＯＯＢ信号を誤検出することもない。
【００６１】
以上のように本実施の形態によれば、シリアルＡＴＡ通信システムの受信装置８０側において、正相側通信信号及び逆相側通信信号の直流成分のレベル変動を監視し、当該レベル変動が生じたときには、ハイパスフィルタ部８１における第３及び第４のＡＣ結合コンデンサＣ３，Ｃ４に対してそれぞれ第１又は第２の時定数低減用コンデンサＣ１０，Ｃ１１を並列接続すると共に、これと併せてスケルチ検出回路２３から出力されるスケルチ検出信号をマスキングするようにしたことにより、第１の実施の形態と同様の効果を得ることができる。
【００６２】
（３）他の実施の形態
なお上述の第１及び第２の実施の形態においては、差動信号の直流成分の変動を検出した場合に、マスキング時間分だけ受信装置５１，８０におけるハイパスフィルタ部５２，８１の抵抗値又はコンデンサ容量を下げることにより、送信装置２の第１のＡＣ結合コンデンサＣ１、受信装置５１，８０の第３のＡＣ結合コンデンサＣ３及び第１の終端抵抗Ｒ１から構成されるハイパスフィルタと、送信装置２の第２のＡＣ結合コンデンサＣ２、受信装置５１，８０の第４のＡＣ結合コンデンサＣ４及び第２の終端抵抗Ｒ２から構成されるハイパスフィルタとの時定数を低くするようにした場合について述べたが、本発明はこれに限らず、受信装置５１，８０におけるハイパスフィルタ部５２，８１の抵抗値及びコンデンサ容量の双方をマスキング時間分だけ下げることによりかかる時定数を下げるようにしても良い。
【００６３】
また上述の第１及び第２の実施の形態においては、差動信号の直流成分の変動を検出した場合に、変動加算信号の信号レベルが変動検出用閾値以上となってから一定時間だけ受信装置５１，８０におけるハイパスフィルタ部５２，８１の抵抗値又はコンデンサ容量を下げたが、変動加算信号の信号レベルが変動検出用閾値以上である時間と一定時間とを合わせた時間だけ受信装置５１，８０におけるハイパスフィルタ部５２，８１の抵抗値又はコンデンサ容量を下げてもよい。
【００６４】
また上述の第１及び第２の実施の形態においては、本発明を、シリアルＡＴＡ通信規格に準拠した受信装置５１，８０に適用するようにした場合について述べたが、本発明はこれに限らず、要は、バースト信号が伝送されるバースト期間と、無信号期間であるスペース期間とが情報の内容に応じたパターンで繰り返される通信信号から情報を検出する種々の情報検出装置に広く適用することができる。
【産業上の利用可能性】
【００６５】
本発明は、ＯＯＢ信号を検出する受信装置のほか、バースト信号が伝送されるバースト期間と、無信号期間であるスペース期間とが伝送情報の内容に応じたパターンで繰り返される伝送信号から伝送情報を検出する、この他種々の情報検出装置に広く適用することができる。
【図面の簡単な説明】
【００６６】
【図１】従来のシリアルＡＴＡ通信システムの構成例を示すブロック図である。
【図２】図１のシリアルＡＴＡ通信システムにおける各種信号の波形を示す波形図である。
【図３】図１のシリアルＡＴＡ通信システムにおける各種信号の波形を示す波形図である。
【図４】第１の実施の形態によるシリアルＡＴＡ通信システムの全体構成を示すブロック図である。
【図５】図４のシリアルＡＴＡ通信システムにおける各種信号の波形を示す波形図である。
【図６】図４のシリアルＡＴＡ通信システムにおける各種信号の波形を示す波形図である。
【図７】第２の実施の形態による受信装置の構成を示すブロック図である。
【図８】ＯＯＢ（Out of Band）シーケンシャルを説明するための図である。
【符号の説明】
【００６７】
１,５０……シリアルＡＴＡ通信システム、２……送信装置、３,５１……受信装置、４……シリアルＡＴＡケーブル、１０……出力アンプ、１１Ａ,１１Ｂ……出力端子、２０Ａ,２０Ｂ……入力端子、２１,５２,８１……ハイパスフィルタ部、２２……バイアス抵抗、３０Ａ,６０Ａ,８２Ａ,３０Ｂ,６０Ｂ,８２Ｂ……ハイパスフィルタ回路、２３……スケルチ検出回路、２４……ＯＯＢ検出回路、２５……ＳＡＴＡインタフェースコントロール部、２６……データ抽出部、４０……データ抽出用差動アンプ、４１……データ抽出回路、５３……スイッチ制御部、６１Ａ,８３Ａ,６１Ｂ,８３Ｂ……スイッチ、７０……加算アンプ、７１……ＤＣ変動検出回路、７２……スイッチ制御回路、７３……マスク用ゲート、Ｃ１,Ｃ２,Ｃ３,Ｃ４……ＡＣ結合コンデンサ、Ｃ１０,Ｃ１１……時定数低減用コンデンサ、Ｒ１,Ｒ２……終端抵抗、Ｒ３、Ｒ４……時定数低減用抵抗。
【図１】
2011010244.tif 000004
【図２】
2011010244.tif 000005
【図３】
2011010244.tif 000006
【図４】
2011010244.tif 000007
【図５】
2011010244.tif 000008
【図６】
2011010244.tif 000009
【図７】
2011010244.tif 000010
【図８】
2011010244.tif 000011